(57)【要約】【課題】  糸瓜の繊維体を用いて、利用範囲が広い吸水性シートを提供する。【解決手段】  ほぼ円柱状の糸瓜の繊維体を縦方向に切り開いてシート状に形成したパッド３を複数枚用いる。複数枚のパッド３を、カバー５の一方の布９上に、連続的に、かつ、表裏が揃うように並べる。カバー５の他方の布７を複数枚のパッド３の上に被せる。２枚の布７、９の縁部１１、１７及び内側の部分１３、１９をミシン等で縫い付ける。カバー５の縁部１１、１７を、バイアステープ２３で覆い縁取りする。【選択図】  図２
2006015667.tif 000002
【特許請求の範囲】
【請求項１】
ほぼ円柱状の糸瓜の繊維体を縦方向に切り開いて形成したシート状のパッドと、このパッドを覆う布製のカバーと、を備えた吸水性シートであって、
前記パッドは、前記繊維体を縦方向に切り開いた後で、この繊維体を薄肉体にプレスして形成されている、ことを特徴とする吸水性シート。
【請求項２】
前記パッドは、前記繊維体を縦方向に切り開いた後で、前記繊維体の内面側を削いで外面側のみを残し、この外面側のみの繊維体を布状にプレスして形成されている、ことを特徴とする請求項１記載の吸水性シート。
【請求項３】
ほぼ円柱状の糸瓜の繊維体を縦方向に切り開いて形成したシート状のパッドと、このパッドを覆う布製のカバーと、を備えた吸水性シートであって、
前記パッドは、複数枚が連続的に、かつ、表裏が揃うように並べられて前記カバーで覆われている、ことを特徴とする吸水性シート。
【請求項４】
前記パッドは、３ｍｍ以上、４ｍｍ以下の厚さを有している、ことを特徴とする請求項１、２又は３記載の吸水性シート。
【請求項５】
ほぼ円柱状の糸瓜の繊維体を縦方向に切り開いて形成したシート状のパッドと、このパッドを覆う布製のカバーと、を備えた吸水性シートであって、
前記パッドの表面及び裏面を補強布で覆い、前記パッド及び前記補強布をこの補強布の外側から表裏方向に縫い付けた後に、前記カバーで覆う、ことを特徴とする吸水性シート。
【請求項６】
前記パッド及び前記補強布と、前記パッド及び前記補強布を覆う前記カバーとをこのカバーの外側から表裏方向に縫い付けている、ことを特徴とする請求項５記載の吸水性シート。
【請求項７】
ボレロ状に形成された補正下着本体と、前記補正下着本体に設けられた吸水性シートと、を備えた吸水性シートを用いた和装用の補正下着であって、
前記吸水性シートは、ほぼ円柱状の糸瓜の繊維体を縦方向に切り開いて形成したシート状のパッドと、このパッドを覆う布製のカバーと、を有して形成されていて、
前記パッドは、前記繊維体を縦方向に切り開いた後で、この繊維体を薄肉状にプレスして形成されている、ことを特徴とする吸水性シートを用いた和装用の補正下着。
【請求項８】
前記補正下着本体には、少なくとも脇下部分にポケットが設けられていて、
前記吸水性シートは、前記ポケットに取り出し可能に収納されている、ことを特徴とする請求項７記載の吸水性シートを用いた和装用の補正下着。
【発明の詳細な説明】
【技術分野】
【０００１】
本発明は、車の座席の背当て用シートや枕カバーあるいは就寝用マット等として用いることができる吸水性シート及び吸水性シートを用いた和装用の補正下着に関する。
【背景技術】
【０００２】
従来から、糸瓜の繊維体を偏平四角形状に加工して形成したパッドと、このパッドを覆う布製のカバーと、を備えたクッション等が知られている。このようなクッション等で用いられる、糸瓜の繊維体から形成されたパッドは、ほぼ円柱状の糸瓜の繊維体を乾燥および圧縮した後で、縦方向に切り開き、偏平四角形状となるように成形することによって形成されている（例えば、特許文献１参照）。
【０００３】
【特許文献１】特開昭６１−２８４５５号公報
【発明の開示】
【発明が解決しようとする課題】
【０００４】
ところで、特許文献１に記載されたような糸瓜の繊維体を用いたパッドは、クッション性を確保するために、比較的厚肉のものとして形成されている。すなわち、糸瓜の繊維体を圧縮するにしても、繊維体が円柱状（環状体）のうちに圧縮しているので、パッドはそれほど薄肉状のものとはならない。
【０００５】
しかしながら、パッドが厚肉状であると、吸水性シートの利用価値又は範囲が限定されてしまう。
【０００６】
また、特許文献１に記載されたようなクッションは、パッドの配列状態を十分に考慮していないため、使用感のよくないものとなってしまうおそれがあり、しかも、十分な強度の確保に対する配慮もされていないため、長期間にわたる使用に耐え得ないおそれもある。
【０００７】
そこで、本発明は、利用範囲が広い吸水性シートを提供することを目的とする。
【０００８】
また、本発明は、すぐれた使用感を有する吸水性シートや寿命の長い吸水性シートの提供をも目的としている。
【０００９】
さらに、本発明は、吸水性シートを有するとともに、着用時に違和感のない和装用の補正下着を提供することを目的とする。
【課題を解決するための手段】
【００１０】
この目的を達成するための本発明の吸水性シートは、ほぼ円柱状の糸瓜の繊維体を縦方向に切り開いて形成したシート状のパッド（本体を意味する）と、このパッドを覆う布製のカバーと、を備えた吸水性シート（例えば汗取りシートあるいは汗取り機能を有するシート）であって、前記パッドは、前記繊維体を縦方向に切り開いた後で、この繊維体を薄肉状又は薄肉体にプレスして形成されているものである。吸水性シートは、全体が薄手のシート状に形成されているので、例えば、車の座席の背当て用シートとして利用することが可能で、また、枕の外周部に巻いて、枕カバーとして利用することも可能である。さらには、就寝用のマットとして、あるいはその他の用途のために使用することができる。パッド又は本体あるいはシート本体は、糸瓜の繊維で構成されているが、この糸瓜の繊維は、通気性や吸水性に優れ、抗菌性等も備えている。パッドは、例えば、糸瓜の実を水に浸けて軟らかくしてから外皮を取り除き、縦方向に刃物を入れて切り開いてから芯側のあるいは内側の繊維体壁部分を切断して除去し、さらに乾燥させた後で、例えば、家庭用のアイロンを使ってプレスする（加熱状態でプレスする）ことによって得られる。プレスした後は、例えば、長方形状のシートとなるように裁断される。なお、プレスは、家庭用のアイロン以外に、あるいは家庭用のアイロンに加えてローラーを用いたプレス機等で行うことも可能である。また、カバーは、例えば、表側及び裏側に重ね合わせる２枚の布を有して構成されている。この場合、一方の布上の内側にパッドを配置してから他方の布で覆い、この状態で、例えば、縁部及び内側を縫い付ける（例えば、キルティングする）ことによって、パッド及びカバーを一体に形成する。なお、カバーを、中央部より折りたたんで上下に重ね合わせる１枚の布で構成して、このカバーでパッドを覆うことも可能である。また、縁部には、この縁部を覆うように、例えば、バイアステープを縫い付けることが好ましいが、このようなバイアステープを用いない構成にすることも可能である。
【００１１】
パッドをより薄く形成して利用価値を高めるために、繊維体を縦方向に切り開いた後で、繊維体の内面側を削いで外面側（外皮側）のみを残し、この外面側のみの繊維体を布状にプレスしてパッド又は本体を形成することもできる。
【００１２】
本発明の吸水性シートは、ほぼ円柱状の糸瓜の繊維体を縦方向に切り開いて形成したシート状のパッドと、このパッドを覆う布製のカバーと、を備えた吸水性シートであって、パッドは、複数枚が連続的に、かつ、表裏が揃うように並べられてカバーで覆われている、ものとして構成できる。
【００１３】
パッドは、例えば、長方形状のシート状に形成され、複数枚が連続的に、かつ、表裏が揃うように、例えば、横方向に並べてられて用いられる。ここで、複数枚が連続的に、とは、側端部同士が重ならないように複数枚のパッドが連続（隙間を有している場合もある）している、ことを意味する。複数枚のパッドが、側端部同士が重ならないように連続していることにより、吸水性シートを、隣り合うパッドの対向する側端部間で折りたたむことができる。したがって、折りたたんで全体を厚くした状態で使用することができる。また、折りたたむことができれば、持ち運びが楽で、収納の際にはスペースをとらないので、実用的な吸水性シートとして用いることができる。
【００１４】
また、表裏が揃うように、とは、複数枚の全てのパッドの表側、すなわち、糸瓜の外面側又は外皮側（繊維が滑らかに構成されている側）が同一側に配置され、複数枚の全てのパッドの裏側、すなわち、糸瓜の芯側又は内面側が同一側に配置されている、ことを意味する。このように、パッドの表裏を揃えることによって、吸水性シートの一面側（例えば表側又は表面側）は、糸瓜の繊維（内側の繊維体壁部分が切断された跡あるいは内面側が削られた跡）が突出しないので、服に糸瓜の繊維が引っ掛かることがなく、かつ、肌に接することもないので、快く用いることができる。
【００１５】
さらに、パッド又はシート本体は、例えば、パッド又は本体を布製のカバーで覆って縫い付ける場合、あるいは使用感等を考慮して、薄肉状、例えば、３ｍｍ以上、４ｍｍ以下の厚さとなるように構成することが好ましい。なお、パッドを、３ｍｍ以上、４ｍｍ以下の厚さで構成しても、通気性や吸水性等の特性は損なわれない。
【００１６】
本発明の吸水性シートはさらに、ほぼ円柱状の糸瓜の繊維体を縦方向に切り開いて形成したシート状のパッド（本体）と、このパッドを覆う布製のカバーと、を備えた吸水性シートであって、前記パッドの表面及び裏面を補強布で覆い、前記パッド及び前記補強布をこの補強布の外側から表裏方向に縫い付けた後に、前記カバーで覆うことにより、例えば前記カバーで前記パッド及び前記補強布の表面及び裏面を覆うことにより構成できる。このように構成することにより、吸水性シートの吸水機能を損なうことなく、耐久性を効果的に向上させることができる。ここでは、パッド及び補強布と、パッド及び補強布を覆うカバーとを、このカバーの外側から表裏方向に縫い付けることができる。
【００１７】
シート状に形成された糸瓜の繊維体からなるパッドを用いて吸水性シートを形成した場合、このような吸水性シートを、例えば、和装用の補正下着に利用することも可能である。すなわち、ボレロ状に形成された補正下着本体と、この補正下着本体に設けられた吸水性シートと、を備えた吸水性シートを用いる和装用の補正下着であって、吸水性シートは、ほぼ円柱状の糸瓜の繊維体を縦方向に切り開いて形成したシート状のパッド（本体）と、このパッドを覆う布製のカバーと、を有して形成されていて、パッドは、繊維体を縦方向に切り開いた後で、必要に応じ、繊維体の内面側を削いで外面側のみを残し、この繊維体又はこの外面側のみの繊維体を薄肉状あるいは布状にプレスして形成されているものである。補正下着本体は、例えば、晒し布等で形成されていて、少なくとも前身頃及び後身頃を備えている。補正下着本体の、例えば、前身頃及び後身頃には、着用者の体型を補正するためのタオル等の補正体が収納されるが、さらに、シート状のパッド及びこのパッドを覆う布製のカバーからなる吸水性シートが設けられる。特に、脇下部分には、例えば、ポケットを設けて、このポケットに吸水性シートを取り外し可能に収納するのが好ましい。脇下部分には、多くの汗をかくので、少なくとも脇下部分の吸水性シートを適宜交換できるように構成することによって、補正下着自体を頻繁に交換しなくてもよいようになる。
【００１８】
なお、前身頃及び後身頃の内側には、例えば、吸水性シートが縫い付け等によって取り付けられる。
【発明の効果】
【００１９】
以上述べたように、本発明の吸水性シートは、通気性、吸水性等に優れた糸瓜の繊維体を薄肉状に形成して用いているので、様々なあるいは広い利用範囲を確保することができる。また、パッド（シート本体）が複数枚連続的に用いられる場合に、表裏が揃うようにパッドを並べれば、吸水性シートの使用感が向上する。
【００２０】
また、本発明の和装用の補正下着は、薄肉状に形成した糸瓜の繊維体からなるパッド（シート本体）を備えた吸水性シートを用いることによって、違和感なく着用することができ、かつ、効果的に汗を取ることができる。
【発明を実施するための最良の形態】
【００２１】
以下、本発明を実施するための形態を図面を参照して説明する。
【００２２】
図１は本発明に係る吸水性シートの斜視図、図２は図１の２−２線に沿う拡大断面図、図３はカバーでパッドを覆う状態を示した斜視図、図４は吸水性シートを折りたたんだ状態の斜視図である。
【００２３】
車の座席Ａの背当て用シートとして用いる場合の吸水性シート１には、シート状に形成された糸瓜の繊維体からなるパッド又は本体３を、複数枚、例えば、３枚用いる。パッド３は、ほぼ円柱状の糸瓜の繊維体を縦方向に切り開いてシート状に形成したものを裁断加工することによって、例えば、長方形状に形成されていて、糸瓜の外皮側又は外面側（繊維が滑らかに構成されている側）が表側（背中にあたる側）となるように用いられる。パッド３は例えば次のようにして形成される。まず、糸瓜を円柱状の繊維体のみからなるように加工する。次に、円柱状の繊維体を縦方向に切断し、繊維体の内周面から、内側の繊維体壁部分を切り取る。そして、必要に応じて内面側又は内周面側を削ぎ、外皮側又は外面側のみを残して繊維体を薄く形成し（例えば半分の厚みとなるように内面側を削り取る）、家庭用のアイロンでプレスした後に、さらに、プレス装置でプレスして圧縮する。このようにして形成されたプレス繊維体は、例えば、３ｍｍ乃至４ｍｍの肉厚を有して布状に形成されている。そして、このプレス繊維体を適当に裁断又は切断してパッド又は本体３を製造する。
【００２４】
カバー５は、例えば、同じ形状、大きさで形成された、パッド３を表側及び裏側から挟むように重ね合わせて用いられる、２枚の布７、９で構成されている。２枚の布７、９は、例えば、綿製であり、四角形状に形成されていて、かつ、３枚のパッド３、３、３を横方向に連続的に並べた際の全体の大きさよりも多少広くなるように形成されている。なお、２枚の布７、９は、表裏を識別しやすくするために、色や模様等が異なるもので構成することも可能である。すなわち、例えば、表側となる布７にのみ模様を付しておくことができる。
【００２５】
図３に示すように、カバー５で３枚のパッド３、３、３を覆う場合、まず、２枚の布７、９のうちの一方の布９（ここでは、裏側の布）上の縁部１１よりも内側の部分１３に、３枚のパッド３、３、３を、連続的に、かつ、表裏が揃うように横方向に並べる。すなわち、それぞれのパッド３の、糸瓜の繊維体の外周面によって形成されている面（表面）が他方の布７側となるように並べる。この場合、３枚のパッド３、３、３を、少なくとも側端部１５同士が重ならないように並べる。次に、３枚のパッド３、３、３上に、他方の布７（ここでは表側の布）を被せる。この場合も、他方の布７の縁部１７よりも内側の部分１９に、３枚のパッド３、３、３が配されるように被せる。このように、２枚の布７、９で３枚のパッド３、３、３を挟んだ状態にしてから、２枚の布７、９の縁部１７、１１及び内側の部分１９、１３を、ミシン等で、外側から、かつ、表裏方向に縫い付ける（例えば、キルティングする）。なお、カバー５で３枚のパッド３、３、３を覆った場合、隣り合うパッド３、３の対向する側端部１５、１５間の部位は、折りたたみ部２１となる。なお、折りたたみ部２１、２１を、パッド３の縦方向に沿って直線状に縫い付けることにより、吸水性シート１を折りたたみ部２１、２１で簡単に折りたためるように構成することができる。また、パッド３が正確な長方形状に形成されていない場合には、パッド３、３間にスペースが形成されてしまう場合があるが、このような場合には、このスペース内にパッド３と同様にして形成された小パッドを配置しておくとよい。
【００２６】
全体を縫い付けた後に、カバー５の縁部１１、１７を、例えば、布製のバイアステープ２３で覆い縁取りを行う。縁取りは、まず、他方の布７側の縁部１７内端側に沿うように、バイアステープ２３の一側部表面を配し、このバイアステープ２３の一側部と他方の布７の縁部１７内端とをミシン等で縫い付ける。次に、バイアステープ２３を、一方の布９側に折り返してカバー５の縁部１１、１７を覆うとともに、バイアステープ２３の他側部をミシン等で縫い付ける。なお、バイアステープ２３の他側部をミシン等で縫い付ける際には、バイアステープ２３の他側部先端を、カバー５側に若干折り返した状態で行う。
【００２７】
バイアステープ２３で縁取りを行った後に、例えば、カバー５の裏側の両側部に、車の座席シートＡに取り付けるための取り付け用ゴムバンド２５を縫い付ける等して固定する。このようにして、吸水性シート１を構成することによって、車の座席Ａの背当て用カバーとして用いることができる。なお、吸水性シート１は、折りたたみ部２１、２１で折りたたんで全体を厚くした状態で使用することができ、また、使用しない場合には、折りたたんで収納しておくこともできる。
【００２８】
図５及び図６は吸水性シート１の別の製造方法を示すための図である。
【００２９】
ここでは、３枚のパッド３、３、３をカバー５で直接覆うといった構成を採用せずに、まず、一体化パッド体（一体化本体）を構成しておく。一体化パッド体を構成するには、例えば綿製である、２枚の補強布８、１０でパッド３、３、３を表裏両側から覆う。すなわち、２枚の補強布８、１０のうちの一方の補強布８（ここでは、裏側の補強布）上に、３枚のパッド３、３、３を、連続的に、かつ、表裏が揃うように横方向に並べる。つまり、それぞれのパッド３の、糸瓜の繊維体の外周面によって形成されている面（表面）が他方の補強布１０側となるように並べる。この場合、３枚のパッド３、３、３を、少なくとも側端部１５同士が重ならないように、あるいは測端部１５間に比較的大きな隙間が開くように並べる。次に、３枚のパッド３、３、３上に、他方の補強布１０（ここでは表側の布）を被せる（図５ａ）。このように、２枚の補強布８、１０で３枚のパッド３、３、３を挟んだ状態にしてから、補強布８、１０にアイロンをかける（加熱する）。補強布８、１０の内面には、接着剤が塗布されているので、加熱により、パッド３、３、３と補強布８、１０とが一体化されて一体化パッド体が構成される（図５ｂ）。そして、この一体化パッド体を、ミシン等で、外側から表裏方向に縫い付ける（図６ａの符号１２参照）。縫い付けは、例えば、一体化パッド体を格子状に縫うことにより行う。縦横に縫うことにより形成される格子の一辺は、例えば５ｃｍの長さに設定しておくことができる。
【００３０】
このようにして一体化パッド体を構成したら、この一体化パッド体を、パッド３、３、３を直接覆って構成する場合と同様にして、カバー５で覆い（図６ａ）、吸水性シート１を構成する（図６ｂ）。なお、カバー５及び一体化パッド体は、外側から表裏方向に縫い付けられるが（図６ｂの符号１４参照）、一体化パッド体自体の縫い付けよりも荒く行われる。すなわち、一体化パッド体自体の縫い付けは、カバー５及び一体化パッド体の縫い付けよりも密に行われている。さらに、カバー５は、一体化パッド体よりも広くてもよいし、一体化パッド体とほぼ同一の広さを有していてもよい。
【００３１】
図７は本発明に係る別の吸水性シートの裏側を表した斜視図である。
【００３２】
別の吸水性シート２７は、枕Ｂの外周部に巻いて枕カバーとして用いることができるように構成したものであり、吸水性シート１と同一又はほぼ同一の構成を有していて、カバー５及びこのカバー５により覆われた複数枚のパッドを備えている。ただし、カバー５内には、例えば、吸水性シート１のパッド３よりも、細長い四角形状で形成されたパッド又は本体２９が４枚配されていて、カバー５の縁部１１、１７及び内側の部分１３、１９がミシン等で、外側から表裏方向に縫い付けられている（例えば、キルティングされている）。パッド２９は、パッド３と同様にほぼ円柱状の糸瓜の繊維体を縦方向に切り開いてシート状に形成したものを裁断加工することにより形成されている。また、カバー５の裏側の両側部には、取り付け用の紐３１が２本ずつ固定されている。その他の構成は吸水性シート１と同様であり、例えば、パッド２９は、２枚の補強布で覆われて一体化パッド体を構成することができる。
【００３３】
図８は本発明に係る他の吸水性シート３３の斜視図である。
【００３４】
他の吸水性シート３３は、就寝用マットとして用いることができるように構成したものであり、大きさ及び取り付け用ゴムバンド２５を有しない点を除いて、吸水性シート１と同一の構成を備えている。他の吸水性シート３３は、特に幼児に適した大きさを有していて、不使用時には、折り返し部２１で折りたたんで収納できるように構成されている。なお、図８に具体的に示したものは、３枚のパッド３を用いているが、例えば５枚のパッド３を２列に並べて１０枚のパッド３で構成してもよい。また、各パッド３の測端部１５間に比較的大きな隙間を設けてもよい。
【００３５】
図９は本発明に係る和装用の補正下着の正面図、図１０は本発明に係る和装用の補正下着の背面図、図１１は吸水性シート用のポケットに収納される吸水性シートの斜視図、図１２は補正下着本体の脇下部分に設けられた吸水性シート用のポケットに、吸水性シートを収納した状態を示す図、図１３は吸水性シート用のポケットに収納される吸水性シートの別の構成方法を示すための図、図１４は補正下着本体の内側に取り付けられる吸水性シートの斜視図である。
【００３６】
和装用の補正下着３５は、着物を着る前に着用されるもので、着用者の体型をタオル等の補正体４９で補正することができるように構成したものであるとともに、少なくとも、着用者の脇の下の汗を糸瓜の繊維体からなるパッド（本体）を備えた吸水性シート４７で吸収することができるように構成されたものである。和装用の補正下着３５は、晒し布等で左右の前身頃５１、５３および後身頃５５を有してボレロ状に形成された補正下着本体３７と、この補正下着本体３７の左右の前身頃５１、５３及び後身頃５５に設けられた、補正体４９を収納することができる補正体用のポケット５７と、補正下着本体３７の両脇下部分４３、４３に設けられた、吸水性シート４７を取り出し可能に収納することができる吸水性シート用のポケット４５と、この吸水性シート用のポケット４５に収納される吸水性シート４７と、を備えて構成されている。
【００３７】
補正下着本体３７は、後身頃５５の両側部に、左右の前身頃５１、５３がそれぞれ縫い付け等によって繋ぎ合わされて形成されていて、左右の前身頃５１、５３にはそれぞれ、おくみ部５９、６１が形成されている。左右の前身頃５１、５３と後身頃５５との繋ぎ合わせ部６３、６３には、締め付け固定用の紐６５の後端部がそれぞれ縫い付けられている。締め付け固定用の紐６５は、左右の前身頃５１、５３上に位置できるように配され、着用者の胸部あるいは胴部等に巻きつけて結びつけることができる長さで形成されていて、先端部が左右の前身頃５１、５３に取り付けられた紐通し部６７、６７に通されている。なお、左の前身頃５１と後身頃５５との繋ぎ合わせ部６３には、右の前身頃５３に配された締め付け固定用の紐６５が通される孔部（図示せず）が形成されている。
【００３８】
補正体用のポケット５７は、例えば、右の前身頃５３の襟部７１よりも下側の部分で、かつ、おくみ部６１から右の脇下部分４３の前側にかけての部分、左の前身頃５１の襟部７２よりも下側の部分で、かつ、左の脇下部分４３の前側の部分、後ろ身頃５５の左右の脇下部分４３、４３の後側の部分、及び後ろ身頃５５の中央部にそれぞれ設けられている。補正体用のポケット５７には、タオル等を折りたたむ等して厚手の状態にした補正体４９が収納される。なお、着用者の体型に合わせて、補正体用のポケット５７全てに補正体４９を収納したり、一部の補正体用のポケット５７に補正体４９を収納することが可能となる。このように、補正体４９を補正体用のポケット５７に収納するように構成することによって、簡単に着用者の体型を補正することができる。
【００３９】
補正下着本体３７の両脇下部分４３、４３には、吸水性シート１のパッド３と同様な構成の、かつ、小さな短冊状に形成されたパッド７３を備えた吸水性シート４７を収納するための吸水性シート用のポケット４５が設けられている。吸水性シート用のポケット４５は、例えば、前側及び後側あるいは左右両側が開口していて、吸水性シート４７を前後方向あるいは左右方向から出し入れすることができるように構成されている。
【００４０】
吸水性シート４７は、ほぼ円柱状の糸瓜の繊維体を縦方向に切り開いて薄肉状（例えば、３ｍｍの厚さ）のシート状に形成し、小さな短冊状（細長い長方形状）、例えば、縦が１１０ｍｍ、横が２５ｍｍとなるように裁断加工して形成したパッド（本体）７３と、このパッド７３を表側及び裏側から挟むように重ね合わせて用いられる、短冊状（細長い長方形状）に形成された、例えば綿製の２枚の布７５、７７からなるカバー７９と、を有して構成されている。２枚の布７５、７７は、パッド７３よりも多少広くなる大きさで形成されている。カバー７９でパッド７３を覆う場合、まず、２枚の布７５、７７のうちの一方の布７７（ここでは、裏側の布）上の縁部８５よりも内側の部分８７に、パッド７３を配置して、パッド７３の上に他方の布７５（ここでは、表側の布）をのせ、この状態で２枚の布７５、７７の縁部８１、８５及び内側の部分８３、８７をミシン等で、外側から表裏方向に縫い付ける。なお、バイアステープを周縁部に取り付けることもできる。
【００４１】
パッド７３は、吸水性シート１のパッド３と同様に、糸瓜の外面側又は外皮側（繊維が滑らかに構成されている側）が表側（腕側の脇下にあたる側又はボディ側の脇下にあたる側）となるように用いられる。また、パッド７３は、糸瓜の繊維体の内面側を削いで外面側のみを残すなど、パッド３と同様の方法で形成できる。
【００４２】
吸水性シート４７は、図１３に示すようにして構成することもできる。すなわち、例えば綿製である、２枚の補強布７６、７８でパッド７３を表裏両側から覆う。このように、２枚の補強布７６、７８でパッド７３を挟んだ状態にしてから、補強布７６、７８にアイロンをかける（加熱する）。補強布７６、７８の内面には、接着剤が塗布されているので、加熱により周縁が互いに接着された補強布７６、７８内にパッド７３は収容された状態となる。そして、ミシン等で、パッド７３及び補強布７６、７８を外側から表裏方向に縫い付ける。縫い付けは、例えばパッド７３及び補強布７６、７８を格子状に縫うことにより行う（図１３ａの符号８０参照）。
【００４３】
このように構成したパッド７３及び補強布７６、７８を、図１１に示す場合と同様にして、２枚の布７５、７７からなるカバー７９で覆う（図１３ｂ）。なお、カバー７９、補強布７６、７８及びパッド７３は、外側から表裏方向に縫い付けられるが（図１３ｂの符号８２参照）、補強布７６、７８及びパッド７３の縫い付けよりも荒く行われる。またここでも、カバー７９は、補強布７６、７８よりも広くてもよいし、補強布７６、７８とほぼ同一の広さを有していてもよい。さらに、バイアステープを周縁部に取り付けることもできる。
【００４４】
また、補正下着本体３７の左右の前身頃５１、５３および後身頃５５には、吸水性シート４７のパッド７３と同じ又はほぼ同じ厚さ、大きさ及び形状で形成された、複数枚、例えば、３枚のパッド８９、８９、８９と、この３枚のパッド８９、８９、８９を覆うカバー９１と、を有して構成された吸水性シート４１が縫い付け等によって固定されている。
【００４５】
カバー９１は、図１４に示すように、吸水性シート１のカバー５と同様に、パッド８９を表側及び裏側から挟むように重ね合わせて用いられる、例えば綿製の２枚の布９３、９５で構成されている。２枚の布９３、９５は、例えば、ほぼ正方形状に形成されていて、かつ、３枚のパッド８９、８９、８９を横方向に所定の間隔を設けて連続して並べることができるように形成されている。カバー９１で３枚のパッド８９、８９、８９を覆う場合、まず、２枚の布９３、９５のうちの一方の布９５（ここでは、裏側の布）上の縁部１０１よりも内側の部分１０３に、３枚のパッド８９、８９、８９を、所定の間隔を設けて、かつ、表裏が揃うように横方向に連続して並べる。すなわち、それぞれのパッド８９の、糸瓜の繊維体の外周面によって形成されている面（表面）が他方の布９３側となるように並べる。次に、３枚のパッド８９、８９、８９上に、他方の布９３（ここでは、表側の布）を被せて、この状態で、２枚の布９３、９５の縁部９７、１０１及び内側の部分９９、１０３をミシン等で、外側から表裏方向に縫い付ける。
【００４６】
パッド８９は、吸水性シート１のパッド３と同様に、糸瓜の外面側又は外皮側（繊維が滑らかに構成されている側）が表側（身体にあたる側）となるように用いられる。
【００４７】
吸水性シート４１は、例えば、左右の前身頃５１、５３及び後身頃５５の内側又は内面に複数枚が縫い付け等によって固定される。
【００４８】
このように構成された和装用の補正下着３５は、吸水性シート４１、４７が布状のパッド７３、８９を有して薄く形成されているので、違和感のなく着用することができる。なお、吸水性シート４１を、吸水性シート１と同様に、補強布を用いて一体化パッド体を形成してから構成してもよい。また、吸水性シート用のポケット４５を内側又は内面側に設け、このポケット４５内に吸収性シート４７を収容してもよい。
【００４９】
図１５は本発明に係る吸水性シートを備えた帽子を示す図である。
【００５０】
帽子１０３は、サイズリボン又はすべりあるいは汗取りバンドとして、糸瓜の繊維体から形成されたパッドを有する吸水性シート１０５を備えている。この吸収性シート１０５は、パッド７３（図１１に示すパッド７３よりも長く形成されている）を覆う、例えば綿製の、２枚の補強布７４、７６と、カバー７９を備えて、図１３に示す吸水性シート４７と同様に構成できる。なお、パッド７３は、糸瓜の外面側又は外皮側（繊維が滑らかに構成されている側）が表側（頭部にあたる側）となるように用いられる。
【産業上の利用可能性】
【００５１】
本発明の吸水性シートは、車の座席のシート、ペットのシートあるいはマット、枕カバー、帽子の汗取りバンド及び就寝用マットなどに幅広く用いることができる。また、本発明の和装用の補正下着は、違和感なく着用して、かつ、効果的に汗を取ることができる。
【図面の簡単な説明】
【００５２】
【図１】本発明に係る吸水性シートの斜視図である。
【図２】図１の２−２線に沿う拡大断面図である。
【図３】カバーでパッドを覆う状態を示した斜視図である。
【図４】吸水性シートを折りたたんだ状態の斜視図である。
【図５】吸水性シートの別の構成方法を示すための図であり、パッドを補強布で覆う場合を示す図である。
【図６】吸水性シートの別の構成方法を示すための図であり、一体化パッド体を備えた吸水性シートを示す図である。
【図７】本発明に係る別の吸水性シートの裏側を表した斜視図である。
【図８】本発明に係る他の吸水性シートの斜視図である。
【図９】本発明に係る和装用の補正下着の正面図である。
【図１０】本発明に係る和装用の補正下着の背面図である。
【図１１】吸水性シート用のポケットに収納される吸水性シートの斜視図である。
【図１２】補正下着本体の脇下部分に設けられた吸水性シート用のポケットに、吸水性シートを収納した状態の図である。
【図１３】吸水性シート用のポケットに収納される吸水性シートの別の構成方法を示すための図である。
【図１４】補正下着本体の内側に取り付けられる吸水性シートの斜視図である。
【図１５】本発明に係る吸水性シートを備えた帽子を示す図である。
【符号の説明】
【００５３】
１、２７、３３、４１、４７、１０５  吸水性シート
３、２９、７３、８９                パッド
５、７９、９１                      カバー
３５                                和装用の補正下着
３７                                補正下着本体
４５                                吸水性シート用のポケット                    
【図１】
2006015667.tif 000003
【図２】
2006015667.tif 000004
【図３】
2006015667.tif 000005
【図４】
2006015667.tif 000006
【図５】
2006015667.tif 000007
【図６】
2006015667.tif 000008
【図７】
2006015667.tif 000009
【図８】
2006015667.tif 000010
【図９】
2006015667.tif 000011
【図１０】
2006015667.tif 000012
【図１１】
2006015667.tif 000013
【図１２】
2006015667.tif 000014
【図１３】
2006015667.tif 000015
【図１４】
2006015667.tif 000016
【図１５】
2006015667.tif 000017